(57)【要約】【課題】ウェブの間欠送り動作に応じて巻回ローラや剥離紙巻き取りローラを急加減速制御する必要なくラミネートフィルムに付与される張力を調整することができ、間欠送り回数を安定的に向上させることができる極めて実用性に秀れた印刷装置を提供する。【解決手段】間欠送りされるウェブ１に印刷を行う印刷機構２の下流側にラミネート機構３を併設して成る印刷装置であって、前記ラミネート機構３に、積層フィルム４から剥離紙11が剥離されたラミネートフィルム10を圧着ローラ９へとガイドすると共に、ウェブ１を間欠送りする際に生じるラミネートフィルム10の緊張・弛緩を吸収すべく該ラミネートフィルム10に常時所定の張力を付与し得る剥離ガイドローラ８を設けたものである。【選択図】図２
2007203467.tif 000002
【特許請求の範囲】
【請求項１】
順送及び逆送が繰り返し行われて連続的に供給されるウェブを、少なくとも版胴と圧胴とを有する印刷機構により印刷するように構成され、該印刷機構により印刷されたウェブにラミネート加工を施すラミネート機構を備えた印刷装置であって、前記ラミネート機構は、少なくともラミネートフィルムと剥離紙とを粘着層を介して積層して成る積層フィルムが巻回される巻回ローラと、この巻回ローラから送り出される前記積層フィルムをガイドするガイドローラと、該ガイドローラによりガイドされる積層フィルムから剥離された前記剥離紙を巻き取る剥離紙巻き取りローラと、この剥離紙が剥離されたラミネートフィルムをガイドする剥離ガイドローラと、剥離された剥離紙を巻き取る剥離紙巻き取りローラと、前記剥離紙が剥離された前記ラミネートフィルムを前記ウェブに圧着する圧着ローラとを有し、前記ウェブを間欠送りする際、前記剥離ガイドローラを移動せしめて前記ラミネートフィルムの緊張・弛緩を吸収すべく該ラミネートフィルムに常時所定の張力を付与するように構成されていることを特徴とする印刷装置。
【請求項２】
請求項１記載の印刷装置において、前記剥離ガイドローラは、適宜な付勢機構により一側に付勢されており、前記ラミネートフィルムが弛緩した場合には前記付勢機構により一側に移動して前記弛緩を吸収し、前記ラミネートフィルムが緊張した場合には前記付勢機構による付勢力に抗して他側に移動して前記緊張を吸収するように構成されていることを特徴とする印刷装置。
【請求項３】
請求項１，２いずれか１項に記載の印刷装置において、前記ガイドローラは、適宜な付勢機構により一側に付勢されており、前記積層フィルムが弛緩した場合には前記付勢機構により一側に移動して前記弛緩を吸収し、前記積層フィルムが緊張した場合には前記付勢機構による付勢力に抗して他側に移動して前記緊張を吸収するように構成されていることを特徴とする印刷装置。
【請求項４】
請求項１〜３いずれか１項に記載の印刷装置において、前記剥離ガイドローラには付勢力を設定調整可能なバネ機構が設けられていることを特徴とする印刷装置。
【請求項５】
請求項１〜４いずれか１項に記載の印刷装置において、前記ガイドローラはウェイトにより付勢力を設定調整可能なダンサーローラであることを特徴とする印刷装置。
【請求項６】
請求項１〜５いずれか１項に記載の印刷装置において、前記圧着ローラには圧着力を設定調整可能なバネ機構が設けられていることを特徴とする印刷装置。
【請求項７】
請求項１〜６いずれか１項に記載の印刷装置において、前記ウェブを前記圧着ローラに所定角度で導入するウェブガイドローラが設けられていることを特徴とする印刷装置。
【発明の詳細な説明】
【技術分野】
【０００１】
本発明は、印刷装置に関するものである。
【背景技術】
【０００２】
ラベル図柄を連続的に印刷する一般的な印刷装置は、例えば巻回されたラベル用紙などのウェブを印刷する円筒状の版胴と、該版胴にウェブを押し付ける円筒状の圧胴とを有する印刷機構を複数、具備した構成である。
【０００３】
このような印刷装置は、版胴に巻回する版を可及的に少なく（短く）すると共に、印刷されるラベル図柄同士の距離を可及的に狭くするため、ウェブを順送させて印刷を行い、続いて、ウェブを少し逆送させ、その後、再びウェブを順送させて印刷を行うことを繰り返す間欠送り式である。
【０００４】
ところで、ウェブの表面保護や光沢・平滑性向上のためにラベル用紙にフィルムを貼る所謂ラミネート加工が知られている。
【０００５】
このラミネート加工を行うラミネート機構としては、例えば図１に示すような構成があり、上記印刷装置の下流側に併設される。
【０００６】
具体的には、このラミネート機構は、複数の上記印刷機構Ｘの下流側位置に設けられ、ラミネートフィルム30と剥離紙31とを粘着層を介して積層して成る積層フィルム32が巻回される巻回ローラ33と、この巻回ローラ33から送り出される前記積層フィルム32をガイドするガイドローラ34と、このガイドローラ34によりガイドされた積層フィルム32から前記剥離紙31を剥離しガイドする剥離ガイドローラ35と、この剥離ガイドローラ35によって剥離ガイドされた剥離紙31を巻き取る剥離紙巻き取りローラ36と、前記剥離紙31が剥離されたラミネートフィルム30を前記印刷機構Ｘにより印刷されたウェブ37に圧着する圧着ローラ38とから成るもので、前記ウェブ37の順送・逆送を繰り返す間欠送り動作に合わせて積層フィルム32を送る構成である（ラミネート機構においてはウェブ37及び積層フィルム32は順送・停止を繰り返す。）。
【０００７】
尚、図１中、符号39は積層フィルム32やウェブ37が掛け回される固定ローラ、40はウェブ37が巻回される巻回ローラ、41はラミネートフィルム30が圧着されたカット前のラベルが巻回される巻回ローラ、42はガイドローラ34（ダンサーローラ）を移動制御する際の支軸、43はガイドローラ34と支軸42とを連結する連結杆、44はインバータ制御により加減速制御可能な駆動ローラ、Ｙはカット機構、Ｚはウェブ37の弛みを吸収する弛み吸収機構である（例えばウェブ37をブロワで吸引するなどして弛みを吸収する。）。
【０００８】
この間欠送り式の印刷装置に設けられる従来のラミネート機構においては、前記ウェブ37の間欠送り動作に応じてガイドローラ34（ダンサーローラ）を移動制御すると共に、前記巻回ローラ33，剥離紙巻き取りローラ36及び駆動ローラ44の回転速度を加減速制御すると共に、巻回ローラ33及び剥離紙巻き取りローラ36のトルクを摩擦板機構により適宜設定することで前記積層フィルム32に付与される張力を調整し、該積層フィルム32が過度に弛緩・緊張しないようにしている。
【０００９】
これは、積層フィルム32が過度に弛緩した状態でウェブ37に圧着すると、ラミネートフィルム30とウェブ37とが密着できず、かえって光沢・平滑性が低下してしまい、また、積層フィルム32が過度に緊張した状態でウェブ37に圧着すると、ウェブ37にカールが発生して好ましくない場合があるためである。
【００１０】
しかしながら、上記構成においては、ウェブ37の間欠送り速度を上げると前記巻回ローラ33や剥離紙巻き取りローラ36を急加減速しなければ上記弛緩・緊張を吸収することができないため、この加減速時の振動が大きくなり、機械動作が不安定になるという問題点がある。
【００１１】
従って、上記従来のラミネート機構においては、間欠送り回数８０回／分程度で送るのが安定動作の目安とされている。
【発明の開示】
【発明が解決しようとする課題】
【００１２】
本発明は、上記間欠送り回数の更なる向上を図るべく成されたもので、ウェブの間欠送り動作に応じて巻回ローラや剥離紙巻き取りローラを急加減速制御する必要なくラミネートフィルムに付与される張力を調整することができ、間欠送り回数を安定的に向上させることができる極めて実用性に秀れた印刷装置を提供するものである。
【課題を解決するための手段】
【００１３】
添付図面を参照して本発明の要旨を説明する。
【００１４】
順送及び逆送が繰り返し行われて連続的に供給されるウェブ１を、少なくとも版胴と圧胴とを有する印刷機構２により印刷するように構成され、該印刷機構２により印刷されたウェブ１にラミネート加工を施すラミネート機構３を備えた印刷装置であって、前記ラミネート機構３は、少なくともラミネートフィルム10と剥離紙11とを粘着層を介して積層して成る積層フィルム４が巻回される巻回ローラ５と、この巻回ローラ５から送り出される前記積層フィルム４をガイドするガイドローラ６と、該ガイドローラ６によりガイドされる積層フィルム４から剥離された前記剥離紙11を巻き取る剥離紙巻き取りローラ７と、この剥離紙11が剥離されたラミネートフィルム10をガイドする剥離ガイドローラ８と、剥離された剥離紙11を巻き取る剥離紙巻き取りローラ７と、前記剥離紙11が剥離された前記ラミネートフィルム10を前記ウェブ１に圧着する圧着ローラ９とを有し、前記ウェブ１を間欠送りする際、前記剥離ガイドローラ８を移動せしめて前記ラミネートフィルム10の緊張・弛緩を吸収すべく該ラミネートフィルム10に常時所定の張力を付与するように構成されていることを特徴とする印刷装置に係るものである。
【００１５】
また、請求項１記載の印刷装置において、前記剥離ガイドローラ８は、適宜な付勢機構により一側に付勢されており、前記ラミネートフィルム10が弛緩した場合には前記付勢機構により一側に移動して前記弛緩を吸収し、前記ラミネートフィルム10が緊張した場合には前記付勢機構による付勢力に抗して他側に移動して前記緊張を吸収するように構成されていることを特徴とする印刷装置に係るものである。
【００１６】
また、請求項１，２いずれか１項に記載の印刷装置において、前記ガイドローラ６は、適宜な付勢機構により一側に付勢されており、前記積層フィルム４が弛緩した場合には前記付勢機構により一側に移動して前記弛緩を吸収し、前記積層フィルム４が緊張した場合には前記付勢機構による付勢力に抗して他側に移動して前記緊張を吸収するように構成されていることを特徴とする印刷装置に係るものである。
【００１７】
また、請求項１〜３いずれか１項に記載の印刷装置において、前記剥離ガイドローラ８には付勢力を設定調整可能なバネ機構が設けられていることを特徴とする印刷装置に係るものである。
【００１８】
また、請求項１〜４いずれか１項に記載の印刷装置において、前記ガイドローラ６はウェイトにより付勢力を設定調整可能なダンサーローラであることを特徴とする印刷装置に係るものである。
【００１９】
また、請求項１〜５いずれか１項に記載の印刷装置において、前記圧着ローラ９には圧着力を設定調整可能なバネ機構が設けられていることを特徴とする印刷装置に係るものである。
【００２０】
また、請求項１〜６いずれか１項に記載の印刷装置において、前記ウェブ１を前記圧着ローラ９に所定角度で導入するウェブガイドローラ12が設けられていることを特徴とする印刷装置に係るものである。
【発明の効果】
【００２１】
本発明は上述のように構成したから、巻回ローラや剥離紙巻き取りローラをウェブの間欠送り動作に応じて急加減速させることなく略一定速度で回転させておいてもラミネートフィルムをウェブの間欠送り動作に追従させることができ、よって、それだけスムーズな動作が可能となり、間欠送り回数を安定的に向上させることができる極めて実用性に秀れた印刷装置となる。
【発明を実施するための最良の形態】
【００２２】
好適と考える本発明の実施形態を、図面に基づいて本発明の作用を示して簡単に説明する。
【００２３】
前記剥離ガイドローラ８を移動せしめて前記ラミネートフィルム10の緊張・弛緩を吸収すべく、前記積層フィルム４ではなく、ラミネートフィルム10そのものに常時所定の張力を付与するように構成したから、前記間欠送り動作に応じて巻回ローラ５や剥離紙巻き取りローラ７を急加減速せずとも、前記間欠送り動作に伴うラミネートフィルム10の弛緩・緊張が抑制され、従来のように巻回ローラ５や剥離紙巻き取りローラ７の急加減速時の不安定な挙動に左右されにくくなり、よって、間欠送り回数を向上させても良好にラミネートフィルム10をウェブ１に圧着することが可能となり、それだけ生産性が向上する。
【実施例】
【００２４】
本発明の具体的な実施例について図２に基づいて説明する。
【００２５】
本実施例は、順送及び逆送が繰り返し行われて連続的に供給されるウェブ１を、少なくとも版胴と圧胴とを有する印刷機構２により印刷するように構成され、該印刷機構２により印刷されたウェブ１にラミネート加工を施すラミネート機構３を備えた印刷装置であって、前記ラミネート機構３は、少なくともラミネートフィルム10と剥離紙11とを粘着層を介して積層して成る積層フィルム４が巻回される巻回ローラ５と、この巻回ローラ５から送り出される前記積層フィルム４をガイドするガイドローラ６と、該ガイドローラ６によりガイドされる積層フィルム４から剥離された前記剥離紙11を巻き取る剥離紙巻き取りローラ７と、この剥離紙11が剥離されたラミネートフィルム10をガイドする剥離ガイドローラ８と、剥離された剥離紙11を巻き取る剥離紙巻き取りローラ７と、前記剥離紙11が剥離された前記ラミネートフィルム10を前記ウェブ１に圧着する圧着ローラ９とを有し、前記ウェブ１を間欠送りする際、前記剥離ガイドローラ８を移動せしめて前記ラミネートフィルム10の緊張・弛緩を吸収すべく該ラミネートフィルム10に常時所定の張力を付与するように構成されているものである。
【００２６】
具体的には本実施例は、図２に図示したように表面に版（印刷部）が付設されインキ装置と連設される版胴と圧胴とを一組とする印刷機構２を４組並設したタンデム型凸版輪転４色印刷装置を図示した場合で、これら４組の印刷機構２の下流位置に、ウェブ１（ラベル用紙等）をカットする１つのカット機構22を設けた構成であり、更にこのカット機構22の下流位置に上記ラミネート機構３を具備した構成である。
【００２７】
尚、図２中、符号14はウェブ１が巻回される巻回ローラ、15はウェブ１が掛け回される固定ローラ、16はウェブ１をブロワで下方から吸引することで弛みを吸収する弛み吸収機構である。
【００２８】
また、ラミネート機構３には、ウェブ１を順送及び逆送させる構成は具備されておらず、ラミネート機構３においてはウェブ１は順送及び停止を繰り返す間欠送り動作により送られる。従って、後記巻き取りローラ24に巻き取られるカット前ラベル（ウェブ１にラミネートフィルム10を圧着したもの）は、ウェブ１の順送及び停止に応じて送られることになる。
【００２９】
上記印刷機構２及びカット機構22により印刷されカットされたウェブ１は、一対の圧着ローラ９間に導入される。
【００３０】
また、このウェブ１に圧着されるラミネートフィルム10は、図２に図示したように、巻回ローラ５から送り出されて一対の挟持ローラ17ａ・17ｂ間を通過せしめられ（挟持ローラ17ｂはインバータ制御により加減速制御可能）、ガイドローラ６の下方に掛け回され、固定ローラ18の上方に掛け回され、更に固定ローラ19の下方に掛け回された後、剥離紙11はバー20を介して剥離紙巻き取りローラ７に巻き取られ、一方、この剥離紙11が剥離されたラミネートフィルム10は剥離ガイドローラ８の上方に掛け回され、固定ローラ21を介して一対の圧着ローラ９間に略平行な状態で導入される。
【００３１】
尚、積層フィルム４をラミネートフィルム10と剥離紙11とに良好に分離するため、剥離紙11に対してラミネートフィルム10が略直交状態で剥離し得るように、剥離ガイドローラ８及び固定ローラ19，20を配置することが好ましい。
【００３２】
剥離ガイドローラ８は、適宜な付勢機構により一側に付勢されており、前記ラミネートフィルム10が弛緩した場合には前記付勢機構により一側に移動して前記弛緩を吸収し、前記ラミネートフィルム10が緊張した場合には前記付勢機構による付勢力に抗して他側に移動して前記緊張を吸収するように構成されている。
【００３３】
具体的には、剥離ガイドローラ８はバネ機構により一側に付勢されている。詳述すると、剥離ガイドローラ８に、一端側が固定部に固定されたバネ力を適宜設定調整可能な引張バネ27の他端側が連結され、この引張バネ27により剥離ガイドローラ８は前記固定部側に常時付勢され、ラミネートフィルム10側に押し付けられる。
【００３４】
従って、剥離ガイドローラ８に引っ掛けられるラミネートフィルム10が弛緩した場合には、該剥離ガイドローラ８は引張バネ27の付勢力により図２中上方側へ移動し、このラミネートフィルム10へ張力を付与し、緊張した場合には、剥離ガイドローラ８が前記付勢力に打ち勝って下方側へ移動し、このラミネートフィルム10への張力を軽減することになる。
【００３５】
本実施例においては、ガイドローラ６としてダンサーローラが採用され、該ガイドローラ６が支軸25に対して振り子動するように構成されている。具体的には、支軸25とガイドローラ６の両端部は夫々連結杆26で連結され、この連結杆26にはウェイト（図示省略）が設けられており、このウェイトによりガイドローラ６が積層フィルム４側に押し付けられるように構成されている。尚、このウェイトの量を変えることで、このガイドローラ６により積層フィルム４に付与する張力を変えることができる。
【００３６】
従って、ガイドローラ６に引っ掛けられる積層フィルム４が弛緩した場合には、該ガイドローラ６が前記ウェイトの重さで下方側へ移動し、積層フィルム４に張力を付与し、緊張した場合には、ガイドローラ６がウェイトの重さに打ち勝って上方側へ移動し、この積層フィルム４への張力を軽減することになる。
【００３７】
よって、本実施例は、剥離ガイドローラ８及びガイドローラ６により、ラミネートフィルム10（積層フィルム４）の弛緩・緊張を確実に吸収することができるから、積層フィルム４を送り出す巻回ローラ５や剥離紙11を巻き取る剥離紙巻き取りローラ７の速度を略一定としたままで良く、巻回ローラ５や剥離紙巻き取りローラ７を急加減速した際の不安定な挙動の影響が少なくなる。
【００３８】
上述のようにして一対の圧着ローラ９間に導入されたウェブ１とラミネートフィルム10とは該圧着ローラ９により圧着され、このラミネートフィルム10が圧着せしめられたウェブ１は一対の挟持ローラ23を介して巻き取りローラ24に巻き取られる。尚、挟持ローラ23はサーボモータにより加減速制御され、この挟持ローラ23によりウェブ１（及びラミネートフィルム10）に送り力が付与される。
【００３９】
また、一対の圧着ローラ９間にウェブ１を導入する際、圧着ローラ９間に直接導入しても良いし、ウェブガイドローラ12を用いて異なる角度で導入しても良い。これは、ウェブ１の材質等により、ラミネートフィルム10に対して略直交状態に導入するのではなく、ラミネートフィルム10と略平行に圧着ローラ９に導入する場合の方がカール等の発生を考慮すると好ましい場合もあるからである。
【００４０】
本実施例は上述のように構成したから、前記剥離ガイドローラ８を移動せしめて前記ラミネートフィルム10の緊張・弛緩を吸収すべく、前記積層フィルム４ではなく、ラミネートフィルム10そのものに常時所定の張力を付与するように構成したから、前記間欠送り動作に応じて巻回ローラ５や剥離紙巻き取りローラ７を急加減速せずとも、前記間欠送り動作に伴うラミネートフィルム10の弛緩・緊張が抑制され、従来のように巻回ローラ５や剥離紙巻き取りローラ７の急加減速時の不安定な挙動に左右されにくくなり、よって、間欠送り回数を向上させても（具体的には２００回／分程度まで向上させても）良好にラミネートフィルム10をウェブ１に圧着することが可能となり、それだけ生産性が向上する。
【００４１】
また、ガイドローラ６のウェイト量や剥離ガイドローラ８のバネ力を適宜設定したり、ウェブ１の圧着ローラ９間への導入角度を適宜設定することで、ウェブ１とラミネートフィルム10との密着度合いを精密に調整することが可能で、極めて様々な材質・用途に対応可能で非常に汎用性に秀れる。
【００４２】
また、ガイドローラ６及び剥離ガイドローラ８の付勢手段はいずれも簡易な構成で良く、それだけコスト安に製造可能となるだけでなく、ラミネートフィルム10（積層フィルム４）に付与する張力の調整も容易に行える。
【００４３】
従って、本実施例は、巻回ローラや剥離紙巻き取りローラをウェブの間欠送り動作に応じて急加減速させることなく略一定速度で回転させておいてもラミネートフィルムをウェブの間欠送り動作に追従させることができ、よって、それだけスムーズな動作が可能となり、間欠送り回数を安定的に向上させることができる極めて実用性に秀れた印刷装置となる。
【図面の簡単な説明】
【００４４】
【図１】従来例の概略説明側面図である。
【図２】本実施例の概略説明側面図である。
【符号の説明】
【００４５】
１  ウェブ
２  印刷機構
３  ラミネート機構
４  積層フィルム
５  巻回ローラ
６  ガイドローラ
７  剥離紙巻き取りローラ
８  剥離ガイドローラ
９  圧着ローラ
10  ラミネートフィルム
11  剥離紙
12  ウェブガイドローラ
【図１】
2007203467.tif 000003
【図２】
2007203467.tif 000004